(57)【特許請求の範囲】
【請求項１】
タッチパネル式に構成した第１の表示手段を有する医療用装置と、タッチパネル式に構成したタブレット型端末又はスマートフォンの携帯性、軽量性を有する情報端末装置からなる第２の表示手段を有する端末装置とを有線又は無線の通信手段によって接続可能にした医療用システムであって、 通信接続時に前記第１の表示手段の表示と同等かそれ以上の表示を前記第２の表示手段に表示可能とし、かつ前記第１の表示手段及び前記第２の表示手段は、その表示に付随した操作機能を有し、第２の表示手段で第１の表示手段と同等かそれ以上の操作を可能とし、さらに前記それ以上の操作が、第２の表示手段を有する端末装置の通信機能を利用して前記端末装置および／または前記医療用装置のプログラムの書き換えを行う操作であって、
前記医療用装置と前記情報端末装置との通信が途絶しその後通信が復帰した際の前記第１の表示手段及び第２の表示手段に表示する初期画面に、復帰時表示・操作パターン情報の種類を設定する復帰時設定スイッチを含んでいることを特徴とする医療用システム。
【請求項２】
前記復帰時表示・操作パターン情報の種類が、
前記通信手段の接続が切れた時に、前記第１の表示手段の表示機能は通信機能の接続が切れる直前の第２の表示手段の表示機能を反映することを特徴とする請求項１記載の医療用システム。
【請求項３】
前記復帰時表示・操作パターン情報の種類が、
前記通信手段の接続が切れた時に、前記第１の表示手段の表示機能はデフォルト表示機能を反映することを特徴とする請求項１記載の医療用システム。
【請求項４】
前記復帰時表示・操作パターン情報の種類が、
前記通信手段の接続が切れた時に、前記第１の表示手段の表示機能は予め設定された表示機能を反映することを特徴とする請求項１記載の医療用システム。
【請求項５】
前記復帰時表示・操作パターン情報の種類が、
前記通信手段の接続が切れ復旧した時に、前記第２の表示手段の表示機能は通信機能の接続が切れる直前の第１の表示手段の表示機能を反映することを特徴とする請求項１記載の医療用システム。
【請求項６】
前記復帰時表示・操作パターン情報の種類が、
前記通信手段の接続が切れ復旧した時に、前記第２の表示手段の表示機能はデフォルト表示機能を反映することを特徴とする請求項１記載の医療用システム。
【請求項７】
前記復帰時表示・操作パターン情報の種類が、
前記通信手段の接続が切れ復旧した時に、前記第２の表示手段の表示機能は予め設定された表示機能を反映することを特徴とする請求項１記載の医療用システム。
【発明の詳細な説明】
【技術分野】
【０００１】
本発明は、医療用システムに関し、詳しくは、端末装置に医療用装置と同等の表示機能、操作機能を持たせ、医療用装置による医療処置実行の利便性の向上を図った医療用システムに関するものである。
【背景技術】
【０００２】
医療用装置、例えば歯科診療に用いられる歯科用医療機器の分野では、患者用の椅子や各種インスツルメント類等を備えた椅子・歯科治療ユニット、根管長測定器、患者の顎部等のＸ線撮影を行うＸ線撮影装置等のような各々歯科医療に関する情報を表示する表示手段を備えた様々な歯科用医療機器が用いられている。
【０００３】
一方、近年においては、スマートフォン等に代表されるように、通信機能に加え高度な情報処理機能を備え、かつ、移動性、携帯性に優れた端末装置が実用化され各種分野で汎用化されている。
【０００４】
特許文献１には、表示手段を備える医療用診療装置の一例であって、歯科用診療機器やコンピュータの操作性を向上させることを目的とし、診療椅子やインスツルメント等の診療機器と、複数のインターフェースと、インターフェースによって制御可能なコンピュータとを備え、上記インターフェースによる操作内容を表示するタッチスクリーンと表示装置を備え、複数のインターフェースであるフートコントローラ、タッチスクリーン及びポインティングスティックのうち、２つ以上のインターフェースを組み合わせた操作に基づいて診療椅子、インスツルメントあるいはコンピュータの操作、制御を行う構成とした医療用診療装置が提案されている。
しかし、特許文献１の医療用診療装置の場合、インターフェースを構成するフートコントローラ、タッチスクリーン及びポインティングスティックのうち、２つ以上のインターフェースを組み合わせた操作に基づいて診療椅子、インスツルメント類等の対象機器を操作、制御する構成であり、２つ以上のインターフェースの組み合わせ操作が必須となることから、対象機器を操作、制御が煩雑で操作者の利便性の点で必ずしも十分なものではないと推定される。
【先行技術文献】
【特許文献】
【０００５】
【特許文献１】特開２０１１−１６１１１３号公報
【発明の概要】
【発明が解決しようとする課題】
【０００６】
本発明が解決しようとする問題点は、スマートフォンやタブレット等の端末装置に操作対象である医療用装置と同等かそれ以上の表示機能、操作機能を持たせ、端末装置の配置の自由度を確保しつつ当該医療用装置による医療処置の実行をこの端末装置のみでも簡略容易に実現し、更により詳しい設定などを可能として操作者の利便性を大幅に図り得るような医療用システムが存在しない点である。
【課題を解決するための手段】
【０００７】
本発明は、第１の表示手段を有する医療用装置と、第２の表示手段を有する端末装置とを有線又は無線の通信手段によって接続可能にした医療用システムであって、通信接続時に前記第１の表示手段の表示と同等かそれ以上の表示を前記第２の表示手段に表示可能としたことを最も主要な特徴とする。
【発明の効果】
【０００８】
請求項１記載の発明によれば、タッチパネル式に構成した第１の表示手段を有する医療用装置と、タッチパネル式に構成したタブレット型端末又はスマートフォンの携帯性、軽量性を有する情報端末装置からなる第２の表示手段を有する端末装置とを有線又は無線の通信手段によって接続可能にした医療用システムであって、通信接続時に、前記第１の表示手段の表示と同等かそれ以上の表示を前記第２の表示手段に表示可能とし、さらに、前記第１の表示手段及び前記第２の表示手段は、その表示に付随した操作機能を有し、第２の表示手段で第１の表示手段と同等かそれ以上の操作を可能とし、さらに前記それ以上の操作が、第２の表示手段を有する端末装置の通信機能を利用して前記端末装置および／または前記医療用装置のプログラムの書き換えを行う操作であって、前記医療用装置と前記情報端末装置との通信が途絶しその後通信が復帰した際の前記第１の表示手段及び第２の表示手段に表示する初期画面に、復帰時表示・操作パターン情報の種類を設定する復帰時設定スイッチを含んでいることを特徴とする医療用システムとしているので、端末装置の操作者は、この端末装置を使用して医療用装置を操作する場合と同等かそれ以上の表示環境、操作環境の基に、かつ、操作の利便性を高めつつ医療用装置による患者の医療処置等を実行することができる医療用システムを提供することができる。
【０００９】
請求項１記載の発明によれば、前記第１の表示手段及び前記第２の表示手段の操作機能が、前記医療用装置を操作するスイッチ機能及び／又は前記医療用装置の動作状況を確認するモニター機能としているので、操作者は、医療用装置を直接操作する場合、端末装置を医療用装置に無線又は有線にて接続して操作する場合のいずれにおいても、同等の表示環境、操作環境の基に、又は、端末装置を操作する場合に医療用装置を直接操作する場合よりも同等以上の表示環境、操作環境の基に、スイッチ機能及び／又はモニター機能を的確に発揮させることができる医療用システムを提供することができる。
【００１０】
請求項２乃至４記載の発明によれば、請求項１記載の発明において医療用装置と端末装置とが無線又は有線通信にて各種情報の交信を行っている場合において、何等かの要因で無線又は有線通信が途絶し、その後通信が復帰した場合において前記復帰時表示・操作パターン情報の種類が前記通信手段の接続が切れた時に、医療用装置側でそれ以降の医療処置等を何等支障なく通信が途絶する前の状態から継続した状態、デフォルト状態、予め設定した状態のいずれかの状態から実行することが可能な医療用システムを提供することができる。
【００１１】
請求項５乃至７記載の発明によれば、請求項１記載の発明において医療用装置と端末装置とが無線又は有線通信にて各種情報の交信を行っている場合において、何等かの要因で無線又は有線通信が途絶し、その後通信が復帰した場合において前記復帰時表示・操作パターン情報の種類が、前記通信手段の接続が切れ復旧した時に、端末装置側でそれ以降の医療処置等を何等支障なく通信が途絶する前の状態から継続した状態、デフォルト状態、予め設定した状態のいずれかの状態から実行することが可能な医療用システムを提供することができる。
【００１４】
請求項１記載の発明によれば、前記それ以上の操作が、第２の表示手段を有する端末装置の通信機能を利用して前記端末装置および／または前記医療用装置のプログラムの書き換えを行う操作であることから、端末装置又は医療用装置の操作表示機能をより高めつつ歯科用医療機器による患者の歯科治療を利便性よく実行することが可能な医療用システムを提供することができる。
【図面の簡単な説明】
【００１５】
【図１】図１は本発明の実施例１に係る医療用システムの外観形態を示す概略斜視図である。
【図２】図２は本実施例１に係る医療用システムの全体構成を示す概略ブロック図である。
【図３】図３は本実施例１に係る医療用システムにおける医療用装置の操作機能系の構成を示す概略ブロック図である。
【図４】図４は本実施例１に係る医療用システムにおける医療用装置の監視系の構成を示す概略ブロック図である。
【図５】図５は本実施例１に係る医療用システムにおける医療用装置の第１の記憶部の記憶内容を示す説明図である。
【図６】図６は本実施例１に係る医療用システムにおける端末装置の第２の記憶部の記憶内容を示す説明図である。
【図７】図７は本実施例１に係る医療用システムにおける医療用装置の第１の表示手段に表示される初期画面としての表示・操作パターンを示す説明図である。
【図８】図８は本実施例１に係る医療用システムにおける医療用装置の第１の表示手段に基本的な表示・操作画面として表示される表示・操作パターン情報を示す説明図である。
【図９】図９は本実施例１に係る医療用システムにおける医療用装置の第１の表示手段において端末装置との通信復帰時に表示される通信途絶直前の状態を反映した復帰時表示・操作パターン情報を示す説明図である。
【図１０】図１０は本実施例１に係る医療用システムにおける医療用装置の第１の表示手段において端末装置との通信復帰時に表示されるデフォルト状態を反映した復帰時表示・操作パターン情報を示す説明図である。
【図１１】図１１は本実施例１に係る医療用システムにおける医療用装置の第１の表示手段において端末装置との通信復帰時に表示されるドクター設定状態を反映した復帰時表示・操作パターン情報を示す説明図である。
【図１２】図１２は本実施例１に係る医療用システムにおける端末装置の第２の表示手段に医療用装置との交信に応じて表示される初期設定に対応した表示・操作パターン情報を示す説明図である。
【図１３】図１３は本実施例１に係る医療用システムにおける端末装置の第２の表示手段に医療用装置との交信に応じて表示される基本的な表示・操作画面とである表示・操作パターン情報を示す説明図である。
【図１４】図１４は本実施例１に係る医療用システムにおける端末装置の第２の表示手段において歯科用医療機器との通信復帰時に表示される通信途絶直前の状態を反映した復帰時表示・操作パターン情報を示す説明図である。
【図１５】図１５は本実施例１に係る医療用システムにおける端末装置の第２の表示手段において歯科用医療機器との通信復帰時に表示されるデフォルト状態を反映した復帰時表示・操作パターン情報を示す説明図である。
【図１６】図１６は本実施例１に係る医療用システムにおける端末装置の第２の表示手段において歯科用医療機器との通信復帰時に表示されるドクター設定状態を反映した復帰時表示・操作パターン情報を示す説明図である。
【図１７】図１７は本実施例１に係る医療用システムにおける医療用装置と端末装置との通信確立処理を示すチャート図である。
【図１８】図１８は本実施例１に係る医療用システムにおける端末装置における第２の表示手段への表示・操作パターンの表示処理を示すチャート図である。
【図１９】図１９は本実施例１に係る医療用システムにおけるエラー監視処理を示すチャート図である。
【図２０】図２０は本実施例１に係る医療用システムにおける端末装置における第２の表示手段へのエラー表示例を示す説明図である。
【図２１】図２１は本実施例１に係る医療用システムにおける通信復帰時処理を示すチャート図である。
【図２２】図２２は本実施例１に係る医療用システムにおける根管長測定器の操作処理を示すチャート図である。
【図２３】図２３は本実施例１に係る医療用システムにおける根管長測定器における測定パターン情報の表示例を示す説明図である。
【図２４】図２４は本実施例１に係る医療用システムにおける根管長測定器操作時において端末装置における第２の表示手段の測定パターン情報の表示例を示す説明図である。
【図２５】図２５は本発明の実施例２に係る医療用システムの外観形態を示す概略斜視図である。
【図２６】図２６は本発明の実施例２に係る医療用システムの全体構成を示す概略ブロック図である。
【図２７】図２７は本発明の実施例２に係る医療用システムにおける第１の表示手段の画面表示例を示す図である。
【図２８】図２８は本発明の実施例２に係る医療用システムにおける第２の表示手段の画面表示例を示す図である。
【図２９】図２９は本発明の実施例２に係る医療用システムにおける根管長測定器操作時において端末装置における第２の表示手段の測定パターン情報の表示例を示す説明図である。
【発明を実施するための形態】
【００１６】
本発明は、スマートフォン等のような端末装置に操作対象である医療用装置と同等かそれ以上の表示機能、操作機能を持たせ、端末装置の配置の自由度を確保しつつ当該医療用装置による医療処置の実行をこの端末装置のみでも簡略容易に実現し、操作者の利便性を大幅に向上し得る医療用システムを提供するという目的を、第１の表示手段を有する医療用装置と、第２の表示手段を有する端末装置とを有線又は無線の通信手段によって接続可能にした医療用システムであって、通信接続時に前記第１の表示手段の表示と同等かそれ以上の表示を前記第２の表示手段に表示可能とし、かつ、前記第１の表示手段及び前記第２の表示手段は、その表示に付随した操作機能を有し、第２の表示手段で第１の表示手段と同等かそれ以上の操作を可能とした構成により実現した。
【実施例】
【００１７】
以下に本発明の実施例に係る医療用システムについて図面を参照して詳細に説明する。
【実施例１】
【００１８】
本実施例１に係る医療用システム１は、図１に示すように、タッチパネル式に構成した第１の表示手段１８を有する医療用装置１１と、タッチパネル式に構成した第２の表示手段１０２を有するスマートフォン等の携帯性、軽量性を有する情報端末装置からなる端末装置１０１と、を有し、前記医療用装置１１、端末装置１０１間で各種情報の伝送を、詳細は後述する通信手段により行い、医療用装置１１の第１の表示手段１８を使用し、又は、端末装置１０１の第２の表示手段１０２を使用して、前記医療用装置１１による患者への歯科治療を実行可能に構成している。
【００１９】
前記医療用装置１１は、図１に示すように、基台１２と、前記基台１２の上に設置された患者用のチェア１３と、このチェア１３の図１において右側に設けられたドクターが使用するドクターテーブル１４と、前記チェア１３の左側に設けられたユニット本体部１５と、前記ユニット本体部１５の後部に設けられたアシスタントハンガー１６と、を備えている。
【００２０】
前記ドクターテーブル１４には、ユニット本体部１５により基端側が支持されたアーム１７により位置変更可能に支持されるとともに、第１の表示手段１８を含むコントロールパネル部１９．各種ハンドピース、シリンジ等の種々のインスツルメント類２０ａを保持したインスツルメントハンガー２０、テーブル２１等が配置されている。
【００２１】
また、前記アシスタントハンガー１６には、ドクターの補助者であるアシスタントが使用するバキューム等が配置されている。
【００２２】
前記基台１２の下部には、ドクターが前記チェア１３の上下動操作等を行うフットコントローラ２２用の接続端子が配置され。この接続端子にフットコントローラ２２がケーブル２３を介して接続されるように構成している。
【００２３】
前記ユニット本体部１５の上部には、給水ノズル２５、コップ受２６、排水鉢２７を備えるスピットン部２４が配置されている。
【００２４】
この他、前記医療用装置１１には、歯科診療時に口腔内の照明を行うための無影灯２９や、前記前記アシスタントハンガー１６の領域に必要に応じて根管長測定器２８が配置される。
【００２５】
さらに、図示しないが、前記ユニット本体部１５は、前記医療用システム１の動作に必要な電力を供給する電力ケーブル、動作に必要な水、エアーを供給する給水パイプ、エアーパイプ等が接続される。
【００２６】
次に、本実施例１に係る医療用システム１の制御系の全体構成について図２を参照して説明する。
【００２７】
本実施例１に係る医療用システム１を構成する医療用装置１１は、図２に示すように、医療用システム１全体の動作制御を行う制御部３１と、医療用システム１の動作プログラム、端末装置１０１との無線通信を行う無線通信プログラム、根管長測定器２８の動作プログラム等を記憶したプログラムメモリ３２と、詳細は後述する各種情報を記憶する第１の記憶部３３と、医療用装置１１の各要素の駆動や操作を行う操作機能系３４と、医療用装置１１の各要素のエラー情報を含む動作監視、各要素の動作状況の監視を行う監視系３５と、前記第１の表示手段１８と、前記端末装置１０１との間で無線にて各種情報の交信を行う通信手段を構成する例えばブルートゥース（Ｂｌｕｅｔｏｏｔｈ(登録商標））規格により構成した第１の通信部３６と、を有している。
【００２８】
本実施例１に係る医療用システム１を構成する端末装置１０１は、図２に示すように、前記第２の表示手段１０２と、前記医療用装置１１との無線通信プログラムを取得する端末プログラムメモリ１０３と、詳細は後述する各種情報を記憶する第２の記憶部１０４と、前記医療用装置１１との間で無線にて各種情報の交信を行う通信手段を構成する例えばブルートゥース（Ｂｌｕｅｔｏｏｔｈ(登録商標））規格により構成した第２の通信部１０５と、端末制御部１０６とを有している。
【００２９】
前記操作機能系３４は、図３に示すように、前記インスツルメント類２０ａを駆動するインスツルメント類駆動部４１と、前記チェア１３を駆動するチェア駆動部４２と、前記無影灯２９を駆動する無影灯駆動部４３と、前記フットコントローラ２２を駆動するフットコントローラ駆動部４４と、前記根管長測定器２８の動作を制御するとともに根管長測定状態に対応した測定パターン情報を取得する根管長測定器動作制御部４５と、を具備している。
【００３０】
前記監視系３５は、図４に示すように、各種インスツルメント類２０ａのうちの切削系のインスツルメントのエラーを監視しエラー情報を出力する切削系を含むドクターテーブルエラー監視部５１と、前記チェア１３のエラーを監視しエラー情報を出力するチェアエラー監視部５２と、前記フットコントローラ２２のエラーを監視しエラー情報を出力するフットコントローラエラー監視部５３と、前記根管長測定器２８のエラーを監視しエラー情報を出力する根管長測定器エラー監視部５４と、各種インスツルメント類２０ａその他各要素の電圧、電流、部品温度のエラーを監視しエラー情報を出力する電圧・電流・部品温度エラー監視部５５と、各種インスツルメント類２０ａ等の空気圧、水圧、気温等のエラーを監視しエラー情報を出力する空気圧・水圧・気温等のエラー監視部５６と、前記医療用装置１１の各要素の動作時の状況を経時的に監視し、レジューム情報を出力するレジューム機能部５７と、を具備している。
【００３１】
前記医療用装置１１の第１の記憶部３３には、図５に示すように、表示・操作パターン情報、監視系３５からのエラー情報、３種類の復帰時表示・操作パターン情報等が記憶される。
【００３２】
また、前記端末装置１０１の第２の記憶部１０４には、図６に示すように、前記医療用装置１１との通信に基づいて表示・操作パターン情報、監視系３５からのエラー情報、３種類の復帰時表示・操作パターン情報等が記憶される。
【００３３】
次に、図７を参照して前記第１の表示手段１８に初期画面として表示される表示・操作パターン情報について詳述する。
【００３４】
この表示・操作パターン情報は、パワースイッチ６０を入れたときに点灯し、エラー状態では点滅する電源表示灯６１と、前記チェア１３のオート動作完了後に無影灯２９が点灯していることを示すオートライト表示灯６２と、前記チェア１３のオート動作設定のときに点灯するチェアオート動作表示灯６３と、前記チェア１３のポジションを記憶させるときに使用するメモリスイッチ６４と、チェアオートセットスイッチＳ１を兼ね、押しているときだけチェア１３が上昇し、チェアオートセットスイッチＳ１により設定したポジション（Ｓ１ポジション）にチェア１３を移動させるチェア上昇スイッチ６５と、チェアオートセットスイッチＳ２を兼ね、押しているときだけチェア１３が下降し、チェアオートセットスイッチＳ２により設定したポジション（Ｓ２ポジション）にチェア１３を移動させるチェア下降スイッチ６６と、チェアオートリターンスイッチを兼ねるとともに、押しているときだけチェア１３のバックレストが寝る方向に移動し、また、リセットポジションにチェア１３を移動するバックレスト傾倒スイッチ６７と、チェアオートリターンスイッチを兼ねるとともに、押しているときだけチェア１３のバックレストが起きる方向に移動し、また、リセットポジションにチェア１３を移動するバックレスト起立スイッチ６８と、エアータービンハンドピース、マイクロモータハンドピース、超音波スケーラのスプレー機能オン／オフを切り替えるスプレー切替スイッチ６９と、スプレー機能がオンとき点灯し、また、スピットン部２４の動作中は点滅するスプレー表示灯７０と、マイクロモータハンドピースの正逆回転方向を切り換えるマイクロモータ正逆切替スイッチ７１と、マイクロモータハンドピースが逆回転しているときに点灯するマイクロモータ逆転表示灯７２と、エアータービンハンドピース、マイクロモータハンドピースの先端ライトの点灯／消灯を切り換えるハンドピース先端ライト切替スイッチ７３と、エアータービンハンドピース、マイクロモータハンドピースの先端ライトの点灯設定時に点灯するハンドピース先端ライト点灯表示灯７４と、前記医療用装置１１と端末装置１０１との通信が途絶しその後通信が復帰した際の前記第１の表示手段１８に表示する復帰時表示・操作パターン情報の種類を設定する復帰時設定スイッチ７５と、オートライト表示灯６２を点灯又は消灯させるオートライト（ＡＵＴＯ  ＬＩＧＨＴ）設定スイッチ７６と、操作対象を医療用装置１１とするか根管長測定器２８とするかを設定する操作対象機器設定モードスイッチ７７と、を含んでいる。
【００３５】
この他、オート動作によるチェア１３の下降時には、ブザー音を発し注意を喚起する構成としている。
【００３６】
次に、前記医療用装置１１の第１の表示手段１８に基本的な表示・操作画面として表示される表示・操作パターン情報について図８を参照して説明する。
【００３７】
図８に示す表示・操作パターン情報は、メモリスイッチ６４、回転数表示部８１、回転数増加用の＋ボタン８２、回転減少用の−ボタン８３を具備している。
【００３８】
そして、設定したいインスツルメントをインスツルメントハンガー２０から外し、図８に示す＋ボタン８２を押し３秒以内にメモリスイッチ６４を押すと  回転数表示部８１に表示される回転数を最大値として設定する。
【００３９】
また、図８に示す設定したいインスツルメントをインスツルメントハンガー２０から外し、−ボタン８３を押し３秒以内にメモリスイッチ６４を押すと  回転数表示部８１に表示される回転数を最小値として設定する。
【００４０】
尚、図８には回転数表示部８１に３００，０００ｒｐｍを設定表示した例を示している。
【００４１】
さらに、図８に示すバックレスト傾倒スイッチ６７を押しながらチェアオートセットスイッチＳ１を押すと、バックレストを調整し所定のポジションに設定することができる。
【００４２】
同様に図８に示すチェア下降スイッチ６６を押しながらチェアオートセットスイッチＳ２を押すと、現在のチェア１３の位置をＳ２ポジションに設定することができる。
【００４３】
また、図８に示すオートライト（ＡＵＴＯ  ＬＩＧＨＴ）設定スイッチ７６を押すとオートライト表示灯６２が点灯又は消灯する。
【００４４】
図８に示すメモリスイッチ６４を押しながらチェアオートセットスイッチＳ１を押すと、現在のチェア１３の位置を記憶することができる。図８に示すメモリスイッチ６４を押しながらチェアオートセットスイッチＳ２を押すと、現在のチェアの位置を記憶することができる。
【００４５】
図８に示す矢印８４の部分を押すとチェア１３のバックレストが矢印８４で示す方向に変位し、矢印８５の部分を押すとチェア１３のバックレストが矢印８５で示す方向に変位し、図８に示す矢印８６の部分を押すとチェア１３が矢印８６で示す方向に上昇し、矢印８７の部分を押すとチェア１３が矢印８７で示す方向に下降するように構成している。
【００４６】
次に、３態様の復帰時表示・操作パターン情報について、図９乃至図１１を参照して説明する。
【００４７】
図９に示す復帰時表示・操作パターン情報は、通信遮断時の直前の表示内容を反映したものであり、オートライト設定がオンであることを意味するオートライト表示灯が６２が点灯状態であり、回転数表示部８１に示すようにエアータービンハンドピースの回転数（最大）が３００，０００ｒｐｍに設定されており、マイクロモータハンドピース等のスプレー機能がオンであることを意味するスプレー表示灯７０が点灯状態であり、エアータービンハンドピース等の先端ライトがオンであることを意味するハンドピース先端ライト点灯表示灯７４が点灯状態である
【００４８】
図１０に示す復帰時表示・操作パターン情報は、デフォルト表示（工場出荷時の設定表示）を反映したものであり、オートライト設定がオンであることを意味するオートライト表示灯が６２が点灯状態であり、オートライト表示灯６２が点灯する状態に設定され、回転数表示部８１にエアータービンハンドピースの回転数（最大）が３５０，０００ｒｐｍに設定され、エアータービンハンドピース等の先端ライトがオンであることを意味するハンドピース先端ライト点灯表示灯７４が点灯する状態に設定されている。
【００４９】
図１１に示す復帰時表示・操作パターン情報は、予めドクターにより設定された表示機能を反映するものであり、マイクロモータ正逆切替スイッチ７１によりマイクロモータハンドピースの回転方向が逆転方向に設定され、回転数表示部８１にエアータービンハンドピースの回転数（最大）が２００，０００ｒｐｍに設定され、マイクロモータハンドピース等のスプレー機能がオフに設定され、エアータービンハンドピース等の先端ライトがオンであることを意味するハンドピース先端ライト点灯表示灯７４が点灯する状態に設定されている。
【００５０】
次に、図１２を参照して医療用装置１１との無線通信に応じて前記端末装置１０１の第２の表示手段１０２に初期画面として表示される表示・操作パターン情報について詳述する。
【００５１】
この表示・操作パターン情報は、パワースイッチ１６０を入れたときに点灯し、エラー状態では点滅する電源表示灯１６１と、  前記チェア１３のオート動作完了後に無影灯２９が点灯していることを示すオートライト表示灯１６２と、前記チェア１３のオート動作設定のときに点灯するチェアオート動作表示灯１６３と、前記チェア１３のポジションを記憶させるときに使用するメモリスイッチ１６４と、チェアオートセットスイッチＳ１ａを兼ね、押しているときだけチェア１３が上昇し、チェアオートセットスイッチＳ１ａにより設定したポジション（Ｓ１ａポジション）にチェア１３を移動させるチェア上昇スイッチ１６５と、チェアオートセットスイッチＳ２ａを兼ね、押しているときだけチェア１３が下降し、チェアオートセットスイッチＳ２ａにより設定したポジション（Ｓ２ａポジション）にチェア１３を移動させるチェア下降スイッチ１６６と、チェアオートリターンスイッチを兼ねるとともに、押しているときだけチェア１３のバックレストが寝る方向に移動し、また、リセットポジションにチェア１３を移動するバックレスト傾倒スイッチ１６７と、チェアオートリターンスイッチを兼ねるとともに、押しているときだけチェア１３のバックレストが起きる方向に移動し、また、リセットポジションにチェア１３を移動するバックレスト起立スイッチ１６８と、エアータービンハンドピース、マイクロモータハンドピース、超音波スケーラのスプレー機能オン／オフを切り替えるスプレー切替スイッチ１６９と、スプレー機能がオンとき点灯し、また、スピットン部２４の動作中は点滅するスプレー表示灯１７０と、マイクロモータハンドピースの正逆回転方向を切り換えるマイクロモータ正逆切替スイッチ１７１と、マイクロモータハンドピースが逆回転しているときに点灯するマイクロモータ逆転表示灯１７２と、エアータービンハンドピース、マイクロモータハンドピースの先端ライトの点灯／消灯を切り換えるハンドピース先端ライト切替スイッチ１７３と、エアータービンハンドピース、マイクロモータハンドピースの先端ライトの点灯設定時に点灯するハンドピース先端ライト点灯表示灯１７４と、前記医療用装置１１と端末装置１０１との通信が途絶しその後通信が復帰した際の前記第１の表示手段１８に表示する復帰時表示・操作パターン情報の種類を設定する復帰時設定スイッチ１７５と、オートライト表示灯１６２を点灯又は消灯させるオートライト（ＡＵＴＯ  ＬＩＧＨＴ）設定スイッチ１７６と、操作対象を医療用装置１１とするか根管長測定器２８とするかを設定する操作対象機器設定モードスイッチ１７７と、を含んでいる。
【００５２】
この他、オート動作によるチェア１３の下降時には、ブザー音を発し注意を喚起する構成としている。
【００５３】
次に、前記端末装置１０１の第２の表示手段１０２に基本的な表示・操作画面として表示される表示・操作パターン情報について図１３を参照して説明する。
【００５４】
図１３に示す表示・操作パターン情報は、図８に示す場合と対応するものであり、メモリスイッチ１６４、回転数表示部１８１、回転数増加用の＋ボタン１８２、回転減少用の−ボタン１８３を具備している。
【００５５】
そして、設定したいインスツルメントをインスツルメントハンガー２０から外し、図１３に示す＋ボタン１８２を押し３秒以内にメモリスイッチ１６４を押すと  回転数表示部１８１に表示される回転数を最大値として設定する。
【００５６】
また、図１３に示す設定したいインスツルメントをインスツルメントハンガー２０から外し、−ボタン１８３を押し３秒以内にメモリスイッチ１６４を押すと  回転数表示部１８１に表示される回転数を最小値として設定する。
【００５７】
尚、図１３には図８に示す場合と同様、回転数表示部１８１に３００，０００ｒｐｍを設定表示した例を示している。
【００５８】
さらに、図１３に示すバックレスト傾倒スイッチ１６７を押しながらチェアオートセットスイッチＳ１ａを押すと、バックレストを調整し所定のポジションに設定することができる。
【００５９】
同様に図１３に示すチェア下降スイッチ１６６を押しながらチェアオートセットスイッチＳ２ａを押すと、現在のチェア１３の位置をＳ２ａポジションに設定することができる。
【００６０】
また、図１３に示すオートライト（ＡＵＴＯ  ＬＩＧＨＴ）設定スイッチ１７６を押すとオートライト表示灯１６２が点灯又は消灯する。
【００６１】
図１３に示すメモリスイッチ１６４を押しながらチェアオートセットスイッチＳ１ａを押すと、現在のチェア１３の位置を記憶することができる。
【００６２】
図１３に示すメモリスイッチ１６４を押しながらチェアオートセットスイッチＳ２ａを押すと、現在のチェアの位置を記憶することができる。
【００６３】
図１３に示す矢印１８４の部分を押すとチェア１３のバックレストが矢印１８４で示す方向に変位し、矢印１８５の部分を押すとチェア１３のバックレストが矢印１８５で示す方向に変位し、図１３に示す矢印１８６の部分を押すとチェア１３が矢印１８６で示す方向に上昇し、矢印１８７の部分を押すとチェア１３が矢印１８７で示す方向に下降するように構成している。
【００６４】
次に、前記端末装置１０１における３態様の復帰時表示・操作パターン情報について、図１４乃至図１５を参照して説明する。
【００６５】
図１４に示す復帰時表示・操作パターン情報は、図９に示す場合と対応するものであり、通信遮断時の直前の表示内容を反映したものであって、オートライト設定がオンであることを意味するオートライト表示灯が１６２が点灯状態であり、回転数表示部１８１に示すようにエアータービンハンドピースの回転数（最大）が３００，０００ｒｐｍに設定されており、マイクロモータハンドピース等のスプレー機能がオンであることを意味するスプレー表示灯１７０が点灯状態であり、エアータービンハンドピース等の先端ライトがオンであることを意味するハンドピース先端ライト点灯表示灯１７４が点灯状態である。
【００６６】
図１５に示す復帰時表示・操作パターン情報は、デフォルト表示（工場出荷時の設定表示）を反映したものであり、オートライト設定がオンであることを意味するオートライト表示灯が１６２が点灯状態であり、オートライト表示灯１６２が点灯する状態に設定され、回転数表示部１８１にエアータービンハンドピースの回転数（最大）が３５０，０００ｒｐｍに設定され、エアータービンハンドピース等の先端ライトがオンであることを意味するハンドピース先端ライト点灯表示灯１７４が点灯する状態に設定されている。
【００６７】
図１６に示す復帰時表示・操作パターン情報は、予めドクターにより設定された表示機能を反映するものであり、マイクロモータ正逆切替スイッチ１７１によりマイクロモータハンドピースの回転方向が逆転方向に設定され、回転数表示部１８１にエアータービンハンドピースの回転数（最大）が２００，０００ｒｐｍに設定され、マイクロモータハンドピース等のスプレー機能がオフに設定され、エアータービンハンドピース等の先端ライトがオンであることを意味するハンドピース先端ライト点灯表示灯１７４が点灯する状態に設定されている。
【００６８】
次に、上述した本実施例１に係る医療用システム１における歯科治療の動作について、前記端末装置１０１により医療用装置１１を無線通信により操作する場合を主として説明する。
【００６９】
（端末装置１０１と医療用装置１１との無線通信確立処理）
前記端末装置１０１により医療用装置１１を無線通信により操作しようとする場合には、前記端末装置１０１、医療用装置１１とともに動作状態とした後、図１７に示すように、前記端末装置１０１の操作者（例えばドクター）は、前記端末装置１０１側から医療用装置１１に対して無線通信プログラムに基づいて第２の通信部１０５を経て通信要求を送信する。
【００７０】
前記医療用装置１１は、端末装置１０１からの通信要求を第１の通信部３６を経て受信し、無線通信プログラムに基づいて当該端末装置１０１の識別処理を行い適正と判断した場合には通信確立処理を行い、通信確立データを端末装置１０１に送信する。
【００７１】
端末装置１０１は、医療用装置１１からの通信確立データを受信し、これにより、前記端末装置１０１、医療用装置１１間の無線通信状態が確立する。
【００７２】
（端末装置１０１による医療用装置１１の操作）
上述したようにして前記端末装置１０１、医療用装置１１間の無線通信状態が確立した後、前記端末装置１０１の操作者は、図１８に示すように、医療用装置１１に対して操作に必要な動作プログラム、表示・操作情報パターン情報の送信要求を行う。
【００７３】
尚、医療用装置１１の操作対象機器設定モードスイッチ７７は、医療用装置１１の操作モードに予め設定され、前記端末装置１０１の操作対象機器設定モードスイッチ１７７も、医療用装置１１の操作モードに予め設定されているものとする。
【００７４】
医療用装置１１は、この送信要求に応じて、プログラムメモリ３２から動作プログラムを読み出し、また、第１の記憶部３３から表示・操作情報パターン情報を読み出して、これらを端末装置１０１に送信する。
【００７５】
前記端末装置１０１は、医療用装置１１からの動作プログラム、図７、図８に示すような表示・操作情報パターン情報を受信し、受信した動作プログラムを端末プログラムメモリ１０３に格納し、また、受信した表示・操作情報パターン情報を第２の記憶部１０４に記憶する。
【００７６】
そして、前記端末装置１０１は、前記動作プログラムに基づき医療用装置１１から取得した表示・操作パターン情報を図１２又は図１３に示す態様で第２の表示手段１０２に画面表示する。
【００７７】
これにより、端末装置１０１の操作者は、図７又は図８に示すような医療用装置１１の第１の表示手段１８の場合と同等な端末装置１０１の画面表示内容を視認しつつ、画面表示のスイッチ類、ボタン類を指操作して前記医療用装置１１による患者に対する医療処置等を実行することが可能となる。
【００７８】
また、スマートフォン等のような端末装置１０１は、携帯可能で配置の自由度が極めて大きいことから、図１に示すように、ドクターテーブル１４の上、チェア１３の任意の位置、アシスタントハンガー１６の近傍というような任意の位置を選択してこの端末装置１０１を配置しての操作も可能であり、ドクター又はアシスタントによる医療用装置１１に対する操作の利便性を大きく高めることができる。
【００７９】
例えばアシスタントハンガー１６の近傍に端末装置１０１を配置すれば、アシスタント側から医療用装置１１の操作も可能になるし、また、根管長測定器２８を使用する場合は、端末装置１０１の第２の表示手段１０２に根管長測定器２８側と同じ表示をアシスタントハンガー１６の近傍位置で表示させることも可能である。
【００８０】
さらに、チェア１３の任意の位置（例えば患者の枕元近く）に端末装置１０１を配置すれば、治療患部の近くで端末装置１０１の第２の表示手段１０２を利用して歯科治療等を実行することが可能となる。
【００８１】
（端末装置１０１におけるエラー監視処理）
次に、図１９、図２０を参照して端末装置１０１におけるエラー監視処理について説明する。
【００８２】
操作者が端末装置１０１により医療用装置１１を操作を行っている場合において、図１９に示すように、前記医療用装置１１の監視系３５が、この医療用装置１１において何等かのエラーを検出した場合、例えば、チェアエラー監視部５２がチェア１３の何等かのエラー、フットコントローラエラー監視部５３がフットコントローラ２２の何等かのエラーを検出した場合、これらのエラー情報は前記医療用装置１１の動作プログラムに基づき第１の記憶部３３に記憶され、第１の表示手段１８の画面に表示されるとともに、上述した場合と同様にして第１の通信部３６から端末装置１０１の第２の通信部１０５に無線送信され、第２の記憶部１０４に記憶される。
【００８３】
そして、これらのエラー情報は、図２０に示すように、前記端末装置１０１の第２の表示手段１０２の画面に表示される。
【００８４】
これにより、端末装置１０１の操作者は、医療用装置１１の第１の表示手段１８の場合と同等な端末装置１０１の画面表示内容を視認しつつ医療用装置１１のエラー情報を把握し対応措置を講ずることができる。
【００８５】
（通信復帰時の処理）
次に、前記医療用装置１１と端末装置１０１とが無線通信にて各種情報の交信を行っている場合において、何等かの要因で無線通信が途絶し、その後無線通信が復帰した場合の処理について図２１を参照して説明する。
【００８６】
前記医療用装置１１を操作するドクターは、予め前記復帰時設定スイッチ７５によって無線通信が復帰した場合の第１の表示手段１８の表示モードを、通信遮断時の直前の表示内容を反映した図９に示す復帰時表示・操作パターン情報、図１０に示すデフォルトの表示内容を反映した復帰時表示・操作パターン情報、又は、図１１に示す予め設定した表示内容を反映した復帰時表示・操作パターン情報の３種類のうちのいずれかになるように設定しておく。
【００８７】
同様に、端末装置１０１を操作するドクター（又はアシスタント）は、前記復帰時設定スイッ１７５によって無線通信が復帰した場合の第２の表示手段１０２の表示モードを、通信遮断時の直前の表示内容を反映した図１４に示す復帰時表示・操作パターン情報、図１５に示すデフォルトの表示内容を反映した復帰時表示・操作パターン情報、図１６に示す予め設定した表示内容を反映した復帰時表示・操作パターン情報の３種類のうちのいずれかになるように設定しておく。
【００８８】
これらのうち、デフォルトの表示内容及び予め設定した表示内容は既定の内容であるが、通信遮断時の直前の表示内容は、医療用装置１１又は端末装置１０１による操作内容に応じて経時的に変化していく。
【００８９】
本実施例１においては、前記レジューム機能部５７により医療用装置１１の動作状況を監視し、通信遮断時の直前の医療用装置１１の動作状況をレジューム情報として取得し、第１の表示手段１８側では通信遮断時の直前の表示内容を反映した図９に示す復帰時表示・操作パターン情報を第１の表示手段１８に画面表示するものである。
【００９０】
このようにして、前記医療用装置１１と端末装置１０１とが無線通信にて各種情報の交信を行っている場合において、何等かの要因で無線通信が途絶し、その後無線通信が復帰した場合、前記医療用装置１１の第１の表示手段１８の画面には、前記復帰時設定スイッチ７５により通信遮断時の直前の表示内容を表示するモードに設定している場合には、図９に示す復帰時表示・操作パターン情報が表示され、これにより、ドクターは通信遮断時の直前の表示内容に引き続く態様で患者に対する歯科治療等を継続することができる。
【００９１】
また、前記復帰時設定スイッチ７５によりデフォルトモードが設定されていれば、前記医療用装置１１の第１の表示手段１８の画面には、図１０に示すデフォルト状態を反映した復帰時表示・操作パターン情報が表示され、これにより、ドクターはデフォルト状態を基に患者に対する歯科治療等を実行することができる。
【００９２】
さらに、前記復帰時設定スイッチ７５により予め設定したモードが設定されていれば、前記医療用装置１１の第１の表示手段１８の画面には、図１１に示す予め設定したモードを反映した復帰時表示・操作パターン情報が表示され、これにより、ドクターは予め設定した復帰時表示・操作パターン情報を基にして患者に対する歯科治療等を実行することができる。
【００９３】
一方、前記医療用装置１１と端末装置１０１とが無線通信にて各種情報の交信を行っており、ドクター又はアシスタントが前記端末装置１０１を操作して患者に対する歯科治療等を実行している場合において、何等かの要因で無線通信が途絶し、その後無線通信が復帰した場合の処理は上述した場合と同様であり、以下の通りである。
【００９４】
前記端末装置１０１の第２の表示手段１０２の画面には、前記復帰時設定スイッチ１７５により通信遮断時の直前の表示内容を表示するモードに設定している場合には、図１４に示す復帰時表示・操作パターン情報が表示され、これにより、ドクター又はアシスタントは通信遮断時の直前の表示内容に引き続く態様で患者に対する歯科治療等を継続することができる。
【００９５】
また、前記復帰時設定スイッチ１７５によりデフォルトモードが設定されていれば、前記端末装置１０１の第２の表示手段１０２の画面には、図１５に示すデフォルト状態を反映した復帰時表示・操作パターン情報が表示され、これにより、ドクター又はアシスタントはデフォルト状態を基に患者に対する歯科治療等を実行することができる。
【００９６】
さらに、前記復帰時設定スイッチ１７５により予め設定したモードが設定されていれば、前記端末装置１０１の第２の表示手段１０２の画面には、図１６に示す予め設定したモードを反映した復帰時表示・操作パターン情報が表示され、これにより、ドクター又はアシスタントは予め設定した復帰時表示・操作パターン情報を基にして患者に対する歯科治療等を実行することができる。
【００９７】
このようにして、本実施例１によれば、前記医療用装置１１と端末装置１０１とが無線通信にて各種情報の交信を行っている場合において、何等かの要因で無線通信が途絶し、その後無線通信が復帰した場合においても、端末装置１０１側、医療用装置１１のいずれにおいても自動的にそれ以降の歯科治療を何等支障なく継続して又は初期状態から実行することが可能な医療用システムを構成することができる。
【００９８】
（端末装置１０１による根管長測定器２８の操作）
次に、前記端末装置１０１により根管長測定器２８を操作する場合について概説する。
この場合には、前記根管長測定器２８を前記医療用装置１１に代わる医療用装置１１Ａとして機能させるものである。
【００９９】
前記端末装置１０１の操作者は、図２２に示すように、この端末装置１０１を前記医療用装置１１と無線通信確立状態とした後、前記操作対象機器設定モードスイッチ７７により操作対象機器として根管長測定器測定モードに設定し、前記医療用装置１１に既述した場合と同様にして操作信号を送る。
【０１００】
前記医療用装置１１は、前記操作信号を基に根管長測定器動作制御部４５を介して医療用装置１１Ａである根管長測定器２８を動作状態とし、その後根管長測定器２８の操作者による歯の根管内に対する測定動作に対応して根管長測定器２８は、図２３に示すような測定パターン情報を生成し、根管長測定器２８の表示部２８ａ（第２の表示手段）に測定パターン情報を表示するとともに、測定パターン情報を前記医療用装置１１に伝送する。
【０１０１】
さらに、前記医療用装置１１は既述した場合と同様な無線通信により前記測定パターン情報を前記端末装置１０１に送信する。
【０１０２】
この結果、前記端末装置１０１の第２の表示手段１０２には、図２４に示すように根管長測定器２８からの測定パターン情報が表示される。
【０１０３】
前記根管長測定器エラー監視部５４により出力されるエラー情報についても上述した場合と同様である。
【０１０４】
このようにして、前記端末装置１０１の操作者は、この端末装置１０１の画面表示内容を視認しつつ、画面表示のスイッチ類、ボタン類を指操作して前記医療用装置１１Ａによる患者の歯の根管内の根管長測定を操作の利便性を確保しつつ簡略に実行することが可能となる。
【０１０５】
尚、根管長測定器２８の詳細構成については説明を省略する。
【実施例２】
【０１０６】
次に、本発明の実施例２に係る医療用システム１Ａについて図２５乃至図２９を参照して説明する。
【０１０７】
尚、本実施例２に係る医療用システム１Ａにおいて、既述した実施例１に係る医療用システム１の場合と同一の要素には同一の符号を付して示し、その詳細説明は省略する。
【０１０８】
本実施例２に係る医療用システム１Ａは、基本的構成は実施例１に係る医療用システム１の場合と略同様であるが、図２５に示すように、前記ドクターテーブル１４の後部にタブレット型コンピュータからなる画面サイズの大きい第２の表示手段２０２を有する端末装置２０１を設けたこと、及び、前記アシスタントハンガー１６の根管長測定器２８の近くにタブレット型コンピュータからなる画面サイズの大きい第２の表示手段３０２を有するタブレット型コンピュータからなる端末装置３０１を設けたことが特徴である。
【０１０９】
本実施例２に係る医療用システム１Ａを構成する医療用装置１１は、図２６に示すように、医療用システム１Ａ全体の動作制御を行う制御部３１と、医療用システム１Ａの動作プログラム、端末装置２０１との無線通信を行う無線通信プログラム及び以下に述べる端末装置２０１用の機能拡張プログラム、医療用装置１１Ａである根管長測定器２８の動作プログラム、端末装置３０１との無線通信を行う無線通信プログラム及び以下に述べる端末装置３０１用の機能拡張プログラムを記憶したプログラムメモリ３２と、操作マニュアル情報等の各種情報を記憶する第１の記憶部３３と、医療用装置１１の各要素の駆動や操作を行う操作機能系３４と、医療用装置１１の各要素のエラー情報を含む動作監視、各要素の動作状況の監視を行う監視系３５と、前記第１の表示手段１８と、前記端末装置２０１，端末装置３０１との間で無線にて各種情報の交信を行う通信手段を構成する例えばブルートゥース（Ｂｌｕｅｔｏｏｔｈ(登録商標））規格により構成した第１の通信部３６と、を有している。
【０１１０】
本実施例２に係る医療用シスタム１Ａの端末装置２０１は、前記医療用装置１１との無線通信プログラム及び端末装置２０１用の機能拡張プログラムを取得する端末プログラムメモリ２０３と、医療用装置１１から送信される前記操作マニュアル情報等の各種情報を記憶する第２の記憶部２０４と、前記医療用装置１１との間で無線にて各種情報の交信を行う通信手段を構成する例えばブルートゥース（Ｂｌｕｅｔｏｏｔｈ(登録商標））規格により構成した第２の通信部２０５と、端末装置２０１自体の動作制御を行う端末制御部２０６とを有している。
【０１１１】
本実施例２に係る医療用システム１Ａにおいては、前記医療用装置１１と、前記端末装置２０１との間では、基本的には既述した実施例１の場合と同様な動作を行い、同様な効果を発揮するが以下の点で相違する。
【０１１２】
すなわち、前記端末装置２０１用の機能拡張プログラムは、図２７、図２８に示すように、前記第１の表示手段１８における表示・操作パターン情報の表示や操作範囲を制限し、第２の表示手段２０２において表示する表示・操作パターン情報としては各種設定操作や回転数表示、エラー表示、操作マニュアルスイッチの表示、さらには最新の注意情報等を表示するプログラム構成としている。
【０１１３】
さらに詳述すると、前記端末装置２０１用の機能拡張プログラムは、この機能拡張プログラムを第１の通信部３６、第２の通信部２０５を介して取得した端末装置２０１側の操作の基に、図２７に示すように、前記第１の表示手段１８には、オートライト表示灯６２、オートライト（ＡＵＴＯ  ＬＩＧＨＴ）設定スイッチ７６、チェアのアイコン、矢印８４乃至８７、チェアオートセットスイッチＳ１、Ｓ２、バックレスト傾倒スイッチ６７、バックレスト起立スイッチ６７、スプレー切替スイッチ６９、スプレー表示灯７０、マイクロモータ正逆切替スイッチ７１、マイクロモータ逆転表示灯７２、ハンドピース先端ライト切替スイッチ７３、ハンドピース先端ライト点灯表示灯７４等を簡略に表示し、メモリスイッチ６４や回転数表示部８１、＋ボタン８２、−ボタン８３は表示しない構成としている。
【０１１４】
一方、前記端末装置２０１用の機能拡張プログラムは、この機能拡張プログラムを第１の通信部３６、第２の通信部２０５を介して取得した端末装置２０１側の操作の基に、前記端末装置２０１の第２の表示手段２０２においては、図２８に示すように、前記オートライト表示灯６２、オートライト（ＡＵＴＯ  ＬＩＧＨＴ）設定スイッチ７６、メモリスイッチ６４、チェアのアイコン、矢印８４乃至８７、チェアオートセットスイッチＳ１、Ｓ２、バックレスト傾倒スイッチ６７、バックレスト起立スイッチ６７、スプレー切替スイッチ６９、スプレー表示灯７０、マイクロモータ正逆切替スイッチ７１、マイクロモータ逆転表示灯７２、ハンドピース先端ライト切替スイッチ７３、ハンドピース先端ライト点灯表示灯７４を表示するとともに、回転数表示部８１、＋ボタン８２、−ボタン８３をも表示し、さらに、これらの下欄に操作マニュアルスイッチ２１１、メッセージ欄２１２を表示するように構成している。
【０１１５】
前記メッセージ欄２１２には、チェアオートセットスイッチＳ１、Ｓ２の操作方法として、
（１）操作マニュアルスイッチ２１１でチェアを希望のポジションにする。
（２）操作マニュアルスイッチ２１１を押しながらメモリスイッチ６４を押す。
（３）メモリスイッチ６４を押しながらチェアオートセットスイッチＳ１、又は、チェアオートセットスイッチＳ２を押す。これにより、現在のチェアのポジションが記憶される。
等の各種メッセージを表示するように構成している。
【０１１６】
この他、前記メッセージ欄２１２には、前記監視系３５からのエラー情報の表示を行ったり、前記メッセージ欄２１２に、操作対象機器が例えばレーザー手術装置の場合ならパワーの数値だけでなく値と同時に切開用パワーに設定されていると表示したり、蒸散用のパワーに設定されていると表示したりすることもできる。
【０１１７】
さらに、第２の表示手段２０２に、超音波スケーラのパワー設定機能、パワー表示機能を設ける一方、前記第１の表示手段１８には、これらの機能を設けない構成とすることもできる。
【０１１８】
また、前記医療用装置１１、前記端末装置２０１間の通信機能を利用して、プログラムをバージョンアップして機能を追加したり、バージョンアップした際に機能拡張プログラムを書き換えてさらなる注意事項等を表示させたりして誤操作や事故の防止に役立てる等の機能拡張を図ることも可能である。
【０１１９】
逆に、前記端末装置２０１の端末プログラムメモリ２０３に上述したような機能拡張プログラムを搭載し、この機能拡張プログラムを前記医療用装置１１、前記端末装置２０１間の通信機能を利用して、前記医療用装置１１側に送信し、前記医療用装置１１側のプログラムを書き換えて上述した場合と同様な機能を発揮させ、同様な効果を奏するように構成することもできる。
【０１２０】
以上説明したように、本実施例２おける医療用システム１Ａにおいては、前記医療用装置１１と、前記端末装置２０１との間の動作において、基本的には実施例１の場合と動作を行うが、前記第１の表示手段１８の画面構成をシンプルに構成し、前記端末装置２０１の第２の表示手段２０２側に回転数表示部８１、＋ボタン８２、−ボタン８３、さらには、操作マニュアルスイッチ２１１、メッセージ欄２１２を表示して、前記第２の表示手段２０２によって、各種の設定操作やマイクロモータハンドピース等の回転数設定、さらには、監視系３５のエラー表示、操作マニュアルの表示等を実行可能としたものである。
【０１２１】
すなわち、本実施例２おける医療用システム１Ａにおいては、前記第１の表示手段１８による操作、表示と同等かそれ以上の操作、表示を前記第２の表示手段２０２により実行し得るようにしている。
【０１２２】
これにより、前記端末装置２０１の操作者は、この端末装置２０１を使用して医療用装置１１自体を操作する場合と同等かそれ以上の表示環境、操作環境の基に、かつ、操作の利便性を高めつつ医療用装置１１による患者の医療処置等を実行することができる。
【０１２３】
次に、本実施例２に係る医療用システム１Ａにおいて、前記医療用装置１１Ａである根管長測定器２８と、前記端末装置３０１との間の動作について説明する。
【０１２４】
この場合も基本的には既述した実施例１の場合と同様な動作を行い、同様な効果を発揮するが以下の点で相違する。
【０１２５】
本実施例２に係る医療用システム１Ａを構成する端末装置３０１は、図２６に示すように、第２の表示手段３０２と、前記医療用装置１１Ａとの無線通信プログラム及び端末装置３０１用の機能拡張プログラムを取得する端末プログラムメモリ３０３と、各種情報を記憶する第２の記憶部３０４と、前記医療用装置１１Ａとの間で無線にて各種情報の交信を行う通信手段を構成する例えばブルートゥース（Ｂｌｕｅｔｏｏｔｈ(登録商標））規格により構成した第２の通信部３０５と、端末装置３０１自体の動作制御を行う端末制御部３０６とを有している。
【０１２６】
また、前記端末装置３０１用の機能拡張プログラムは、この機能拡張プログラムを第１の通信部３６、第２の通信部３０５を介して取得した端末装置３０１側の操作の基に、図２９に示すように、この端末装置３０１のサイズの大きい前記第２の表示手段３０２の画面を利用して、例えば既述した図２４に示すような根管長測定器２８からの測定パターン情報（文字、画像パターン）を、より大きく見易い形態で詳細表示するプログラム構成としている。
【０１２７】
前記根管長測定器２８等の小型医療機器の画面表示スペースは小さく限定されているのが通常であるが、前記端末装置３０１の第２の表示手段３０２による上述した表示機能を利用することで、根管長測定器２８、及び、前記端末装置３０１を操作する操作者（アシスタント等）の操作利便性をより高めることができる。
【０１２８】
すなわち、本実施例２おける医療用システム１Ａにおいては、前記第１の表示手段１８による操作、表示と同等かそれ以上の操作、表示を前記端末装置３０１の第２の表示手段３０２により実行し得るようにしている。
【０１２９】
これにより、前記端末装置３０１の操作者は、この端末装置３０１を使用して医療用装置１１自体を操作する場合と同等かそれ以上の表示環境、操作環境の基に、かつ、操作の利便性を高めつつ医療用装置１１Ａによる患者の医療処置等を実行することができる。
【０１３０】
上述した本実施例１，２の医療用システム１、１Ａにおいて、第１の表示手段１８を有する医療用装置１１としては、例えば、椅子・歯科治療ユニット、Ｘ線撮影装置、ＣＴ装置、ＭＲＩ装置、レーザ装置その他表示機器を有する様々な医療用機器であってもよい。
【０１３１】
また、第１の表示手段１８としては、表示用のタッチ操作を可能にした液晶表示器、メカニカルな操作スイッチ及び表示部を設けたパネル、ＬＥＤを使用した操作機能付き表示器、蛍光表示管を使用した操作機能付き表示器等を挙げることができる。
【０１３２】
前記端末装置１０１の第２の表示手段１０２としては、第１の表示手段１８と同様な構成とする他、さらに、第１の表示手段１８の機能に加えてより詳細な操作や表示が可能なようにしてもよい。
【０１３３】
さらに、前記医療用装置１１と端末装置１０１，２０１，３０１との接続は、上述した無線通信方式を採用する場合の他、接続ケーブルを介しての有線通信方式とすることも可能である。
【０１３４】
さらにまた、前記端末装置１０１，２０１，３０１としては、タブレット型コンピュータ、スマートフォン、さらには通信機能を有する各種情報端末装置を用いることができる。
【産業上の利用可能性】
【０１３５】
本発明の医療用システムにおける第１の表示手段を有する医療用装置と、第２の表示手段を有する端末装置とを含む構成は、医療用機器の分野のみならず、例えば第１の表示手段を有する画像形成装置、プリンタ、テレビジョン装置、音響装置、電子レンジ等の種々の主装置と、スマートフォン等の端末装置との組み合わせとして広範に応用可能である。
【符号の説明】
【０１３６】
１    医療用システム
１Ａ    医療用システム
１１    医療用装置
１１Ａ  医療用装置
１２    基台
１３    チェア
１４    ドクターテーブル
１５    ユニット本体部
１６    アシスタントハンガー
１７    アーム
１８    第１の表示手段
１９    コントロールパネル部
２０    インスツルメントハンガー
２０ａ  インスツルメント類
２１    テーブル
２２    フットコントローラ
２３    ケーブル
２４    スピットン部
２５    給水ノズル
２６    コップ受
２７    排水鉢
２８    根管長測定器
２８ａ  表示部
２９    無影灯
３１    制御部
３２    プログラムメモリ
３３    第１の記憶部
３４    操作機能系
３５    監視系
３６    第１の通信部
４１    インスツルメント類駆動部
４２    チェア駆動部
４３    無影灯駆動部
４４    フットコントローラ駆動部
４５    根管長測定器動作制御部
５１    ドクターテーブルエラー監視部
５２    チェアエラー監視部
５３    フットコントローラエラー監視部
５４    根管長測定器エラー監視部
５５    電圧・電流・部品温度エラー監視部
５６    空気圧・水圧・気温等のエラー監視部
５７    レジューム機能部
６０    パワースイッチ
６１    電源表示灯
６２    オートライト表示灯
６３    チェアオート動作表示灯
６４    メモリスイッチ
６５    チェア上昇スイッチ
６６    チェア下降スイッチ
６７    バックレスト傾倒スイッチ
６８    バックレスト起立スイッチ
６９    スプレー切替スイッチ
７０    スプレー表示灯
７１    マイクロモータ正逆切替スイッチ
７２    マイクロモータ逆転表示灯
７３    ハンドピース先端ライト切替スイッチ
７４    ハンドピース先端ライト点灯表示灯
７５    復帰時設定スイッチ
７６    オートライト設定スイッチ
７７    操作対象機器設定モードスイッチ
８１    回転数表示部
８２    ＋ボタン
８３    −ボタン
８４    矢印
８５    矢印
８６    矢印
８７    矢印
１０１    端末装置
１０２    第２の表示手段
１０３    端末プログラムメモリ
１０４    第２の記憶部
１０５    第２の通信部
１０６    端末制御部
１６０    パワースイッチ
１６１    電源表示灯
１６２    オートライト表示灯
１６３    チェアオート動作表示灯
１６４    メモリスイッチ
１６５    チェア上昇スイッチ
１６６    チェア下降スイッチ
１６７    バックレスト傾倒スイッチ
１６８    バックレスト起立スイッチ
１６９    スプレー切替スイッチ
１７０    スプレー表示灯
１７１    マイクロモータ正逆切替スイッチ
１７２    マイクロモータ逆転表示灯
１７３    ハンドピース先端ライト切替スイッチ
１７４    ハンドピース先端ライト点灯表示灯
１７５    復帰時設定スイッチ
１７６    オートライト設定スイッチ
１７７    操作対象機器設定モードスイッチ
１８１    回転数表示部
１８２    ＋ボタン
１８３    −ボタン
１８４    矢印
１８５    矢印
１８６    矢印
１８７    矢印
２０１    端末装置
２０２    第２の表示手段
２０３    端末プログラムメモリ
２０４    第２の記憶部
２０５    第２の通信部
２０６    端末制御部
２１１    操作マニュアルスイッチ
２１２    メッセージ欄
３０１    端末装置
３０２    第２の表示手段
３０３    端末プログラムメモリ
３０４    第２の記憶部
３０５    第２の通信部
３０６    端末制御部
Ｓ１      チェアオートセットスイッチ
Ｓ１ａ    チェアオートセットスイッチ
Ｓ２      チェアオートセットスイッチ
Ｓ２ａ    チェアオートセットスイッチ
【図１】
0006557057.tif 000002
【図２】
0006557057.tif 000003
【図３】
0006557057.tif 000004
【図４】
0006557057.tif 000005
【図５】
0006557057.tif 000006
【図６】
0006557057.tif 000007
【図７】
0006557057.tif 000008
【図８】
0006557057.tif 000009
【図９】
0006557057.tif 000010
【図１０】
0006557057.tif 000011
【図１１】
0006557057.tif 000012
【図１２】
0006557057.tif 000013
【図１３】
0006557057.tif 000014
【図１４】
0006557057.tif 000015
【図１５】
0006557057.tif 000016
【図１６】
0006557057.tif 000017
【図１７】
0006557057.tif 000018
【図１８】
0006557057.tif 000019
【図１９】
0006557057.tif 000020
【図２０】
0006557057.tif 000021
【図２１】
0006557057.tif 000022
【図２２】
0006557057.tif 000023
【図２３】
0006557057.tif 000024
【図２４】
0006557057.tif 000025
【図２５】
0006557057.tif 000026
【図２６】
0006557057.tif 000027
【図２７】
0006557057.tif 000028
【図２８】
0006557057.tif 000029
【図２９】
0006557057.tif 000030